(57)【特許請求の範囲】
【請求項１】
複数台の吸収式冷凍機の起動順を変更する制御を行う制御装置において、吸収式冷凍機の起動時または停止時に起動順の変更を行う自動モード、手動により任意の時に起動順の変更を行う手動モード、設定した所定時刻に起動順の変更を行う定刻モード、または定刻モードの時刻間隔より短い所定時間が経過するごとに起動順の変更を行う定時間モードのうちいずれか一つまたは複数のモードを選択する入力手段と、現在時刻を知るためのタイマーと、自動モードが選択されたときの吸収式冷凍機の起動時または停止時に、手動モードが選択され手動入力がされたその任意の時に、定刻モードが選択されたときの所定時刻、定時間モードが選択されたときの所定時間が経過した時のうちいずれかにタイマーの現在時刻が該当した時に、起動順の変更を実行する実行手段と、を備えた吸収式冷凍機の制御装置。
【請求項２】
複数台の吸収式冷凍機の起動順を変更する制御を行う制御装置において、吸収式冷凍機の起動時または停止時に起動順の変更を行う自動モード、手動により任意の時に起動順の変更を行う手動モード、設定した所定時刻に起動順の変更を行う定刻モード、または定刻モードの時刻間隔より短い所定時間が経過するごとに起動順の変更を行う定時間モードのうちいずれか一つまたは複数のモードを選択する入力手段と、現在時刻を知るためのタイマーと、自動モードが選択されたときの吸収式冷凍機の起動時または停止時に、手動モードが選択され手動入力がされたその任意の時に、定刻モードが選択されたときの所定時刻が選択されたときの所定時間が経過した時のうちいずれかにタイマーの現在時刻が該当し、且つ、自動モード、手動モード、または定刻モードによって前回に起動順の変更が実行された時から一定時間が経過したことを条件とされる請求項１記載の吸収式冷凍機の制御装置。
【発明の詳細な説明】
【０００１】
【産業上の利用分野】
この発明は、複数台が設けられた吸収式冷凍機（吸収式冷温水機を含む）の制御装置に関する。
【０００２】
【従来の技術】
複数台の吸収式冷凍機（吸収式冷温水機を含む、以下同じ）を例えば並列に設け、負荷に応じて、運転する吸収式冷凍機を変更する制御が行われ、吸収式冷凍機の能力の過剰および過少を回避し、冷温水の出口温度をほぼ一定にすることが行われていた。即ち、複数台が設けられた吸収式冷凍機の起動時または停止時に、複数台の吸収式冷凍機のうち新しく起動される台数を変更する制御を行っていた。
【０００３】
そして、同時に、この起動順を変更するローテーションと呼ばれる制御も行われていた。この起動順の変更は、特定の吸収式冷凍機の運転時間が長くなってしまわないように、運転時間の短い吸収式冷凍機から起動が行われるようにするものである。このように起動順の変更を行うことで、各吸収式冷凍機間の運転時間差をなるべく小さくし、全体としての長寿命化を図っていた。
【０００４】
【発明が解決しようとする課題】
しかしながら、従来の制御は、吸収式冷凍機の起動時または停止時に起動順の変更を行うものであり、このため２４時間の運転を行う吸収式冷凍機では起動または停止が発生しないため、起動順の変更が行われず、特定の吸収式冷凍機のみの運転時間が長くなってしまうということがあった。
【０００５】
この発明は、以上の問題点を解決するためになされたもので、たとえ２４時間運転が行われる吸収式冷凍機であっても、複数台設けられる吸収式冷凍機間の運転時間差を小さくすることができる吸収式冷凍機の制御装置を提供することを目的とする。
【０００６】
【課題を解決するための手段】
以上の目的を達成するために、請求項１の発明は、複数台の吸収式冷凍機の起動順を変更する制御を行う制御装置において、吸収式冷凍機の起動時または停止時に起動順の変更を行う自動モード、手動により任意の時に起動順の変更を行う手動モード、設定した所定時刻に起動順の変更を行う定刻モード、または定刻モードの時刻間隔より短い所定時間が経過するごとに起動順の変更を行う定時間モードのうちいずれか一つまたは複数のモードを選択する入力手段と、現在時刻を知るためのタイマーと、自動モードが選択されたときの吸収式冷凍機の起動時または停止時に、手動モードが選択され手動入力がされたその任意の時に、定刻モードが選択されたときの所定時刻、定時間モードが選択されたときの所定時間が経過した時のうちいずれかにタイマーの現在時刻が該当した時に、起動順の変更を実行する実行手段と、を備えたことを特徴とする。
【０００７】
請求項２の発明は、更に、定時間モードの所定時間の経過は、自動モード、手動モード、または定刻モードによって前回に起動順の変更が実行された時から一定時間が経過したことを条件とされることを特徴とする。
【０００８】
【作用】
請求項１の発明では、まず、入力手段により、自動モード、手動モード、定刻モード、または定時間モードが選択される。そして、自動モードが選択された場合には吸収式冷凍機の起動時または停止時、手動モードが選択された場合には手動入力がされる時、定刻モードが選択された場合には所定時刻、定時間モードが選択された場合には所定時間が経過した時が、監視される。これらの時または時刻のうちいずれかがくるか、またはタイマーの現在時刻に該当すると、実行手段が起動順の変更を実行する。これにより、たとえばある吸収式冷凍機は停止し、別の吸収式冷凍機は起動するという制御が行われる。
【０００９】
請求項２の発明では、更に、定時間モードが選択された場合には、前回に自動モード、手動モード、または定刻モードによって起動順の変更が実行された時から一定時間が経過したことを条件として、定時間モードの所定時間が経過した時に起動順の変更が実行される。
【００１０】
【実施例】
以下、この発明の一実施例を、図１および図４において説明する。
図４に示す全体図において、３台の吸収式冷凍機１が並列に設けられている。即ち、冷温水を送り込む冷温水ポンプ３が冷温水管５に設けられている。冷温水管５は枝分かれし各吸収式冷凍機１に接続された後、再び出口側の冷温水管７が接続される。
【００１１】
各吸収式冷凍機１は制御装置９により制御される。制御装置９は、入力手段１１、各吸収式冷凍機１の起動順の変更を実行する実行手段１３、およびタイマー１５とからなる。
【００１２】
入力手段１１には、コントロールパネル１７が備えられ、スイッチ１９やキー２１、２３、２５、２７などが設けられる。即ち、スイッチ１９は吸収式冷凍機１の運転および停止を切り替える。手動キー２１は、手動により任意の時に、各吸収式冷凍機１の起動順の変更を行う手動モードを選択するものである。モード選択キー２３は、手動モード以外の他のモード、即ち自動モード、定刻モード、および定時間モードのうちいずれか１つを選択するものである。２つの設定キー２５、２７は、定刻モードの所定時刻を設定したり、定時間モードの所定時間を設定したりするものである。即ち、これらの設定キーのうち上側の設定キー２５を押すと、時刻が早くなり、あるいは時間が短くなる。下側の設定キー２７を押すと、時刻が遅くなり、または設定時間が長くなる。
【００１３】
液晶表示板２９は、制御状態を表示するものである。即ち、選択されたモードがどのモードか、即ち自動モード、手動モード、定刻モード、あるいは定時間モードのうちのいずれであるかを表示し、更に定刻モードの所定時刻を表示し、定時間モードの所定時間を表示する。モードの選択や時刻の設定などは、この液晶表示板２９を見ながら行われる。
【００１４】
入力手段により入力された内容は、実行手段１３に伝えられる。実行手段１３は、定刻モードが選択された時の所定時刻、あるいは定時間モードが選択された時の所定時間が経過した時のいずれかにタイマー１５の現在時刻が該当するか否かを監視し、該当した時には、複数台の吸収式冷凍機１の起動順の変更を実行する。タイマー１５は、現在時刻を実行手段１３に与える。
【００１５】
以下、この実施例の作用を図１のフローチャートにおいて説明する。
スイッチ１９が入り運転状態になっていれば（Ｓ１）、自動モード（ここでは起動時に起動順の変更を行う）が選択されているか否かが判断され（Ｓ２）、選択されていれば直ちに各吸収式冷凍機１の起動順の変更、即ちローテーションが行われる（Ｓ３）。なお、ここにいうローテーションは、例えばそれまでの積算運転時間が短いものから順に起動するように起動順の変更を行うものとできる。自動モードが選択されておらず（Ｓ２）、手動モードが選択されていれば（Ｓ４）、手動入力が行われた任意の時に（Ｓ５）ローテーションが行われる（Ｓ３）。定刻モードが選択されている場合には（Ｓ６）設定された所定時刻がタイマーの現在時刻に該当するか否かが判断され（Ｓ７）、該当する場合にはローテーションが行われる（Ｓ３）。定時間モードが選択されている場合には（Ｓ８）、設定された所定時間が経過してるか否かが判断され（Ｓ９）、経過している場合にはローテーションが行われる（Ｓ３）。
【００１６】
手動モードが選択されていても手動入力がない場合（Ｓ５）、定刻モードが選択されていても所定時刻が現在時刻に該当しない場合（Ｓ７）、あるいは定時間モードが選択されていても所定時間が経過していない場合（Ｓ９）には、スイッチ１９により吸収式冷凍機の運転が停止されない限り（Ｓ１０）、各判断（Ｓ５）（Ｓ７）（Ｓ９）が繰り返して続けられる。吸収式冷凍機１の運転が停止された場合（Ｓ１０）あるいは初めから運転が行われなかった場合（Ｓ１）には、制御は終わる（Ｓ１１）。
【００１７】
以上のように、この実施例によれば、自動モード以外に手動モード、定刻モード、あるいは定時間モードを選択することで、手動入力の際にローテーションが行われ、所定時刻になった際にローテーションが行われ、あるいは所定時間が経過した時にローテーションが行われる。従って、吸収式冷凍機が２４時間運転を行われ、自動モードによる制御が行われるために必要な吸収式冷凍機の起動または停止が生じない場合であっても、確実にローテーション即ち吸収式冷凍機の起動順の変更が行われる。これにより、特定の吸収式冷凍機のみの運転時間が長くなってしまうというのを防止できる。
【００１８】
また、このように定刻モードあるいは定時間モードの選択を可能とすることにより、吸収式冷凍機を操作する者が手動モードにより定期的に手動入力を行ってローテーションを実行する必要がなくなり、定期的に自動的なローテーションが行われる。
【００１９】
以上の実施例においては図１のフローチャート図に示すように、自動モードにおけるローテーションは、吸収式冷凍機１の運転を行わせるスイッチ１９が入った起動時にのみ行うものであったが、他の実施例においては例えば図２に示すフローチャートのようにスイッチ１９によって運転を停止する停止時（Ｓ１０）においても、自動モードが選択されている場合には（Ｓ１２）、ローテーションを行う（Ｓ１３）ことができる。なお、図２において図１と同様のステップ（Ｓ）については同一の番号を付す。
【００２０】
また、以上の実施例においては設定時間モードが選択された時の所定時間は、この所定時間を設定された時から起算され、前回の起動順の変更が実行された時からそれ程時間がたっていなくても、所定時間の経過により起動順の変更が実行され、頻繁な起動順の変更が行われる可能性があるものであった。しかし、他の実施例においては例えば図３に示すように、前回の起動順の変更が実行された時から一定時間が経過したことを条件として（Ｓ１４）、ローテーションが行われる（Ｓ３）とすることができる。このように前回の起動順の変更から一定時間が経過したことを条件とすることによって、頻繁に起動順の変更が実行されてしまうのを避け、吸収式冷凍機の起動または停止に伴うロスを軽減することが可能となる。なお、図３において図１と同様のステップ（Ｓ）については同一の番号を付す。
【００２１】
また、以上の実施例においては自動モード、手動モード、定刻モード、および定時間モードの４つのモードのうちいずれか１つが選択されるものとして説明したが、他の実施例においてはいずれか複数のモードを選択するものとしても良い。
【００２２】
なお、以上の実施例において、いずれかのモードが選択され起動順の変更が実施される時間になった場合に、それまでに運転されていた吸収式冷凍機が１台である場合には、起動順の実行を延期することかできる。
【００２３】
即ち、吸収式冷凍機が１台しか運転されていない状態で起動順の変更、即ちローテーションが行われると、それまで運転されていた１台の吸収式冷凍機は運転が一旦停止され、運転が行われていなかった他の吸収式冷凍機が新たに起動されることになるので、冷水または温水温度がふらつくという不都合がある。そこで、そのような場合には起動順の変更の実行が行われねばならないことを記憶すると共に、実行を延期し、やがて負荷が多くなって２台以上の吸収式冷凍機が運転を開始した時点で、ローテーションを実施する。このようにすることで、少なくとも、３台のうち１台は運転が続行されるので、冷水または温水温度のふらつきを防止できる。
【００２４】
なお、以上の実施例において、吸収式冷凍機は３台として説明した（図１）が、もちろん４台以上であってもこの発明を実施することは可能である。
【００２５】
【発明の効果】
以上説明したように、この請求項１または２の発明によれば、複数台設けられた吸収式冷凍機が２４時間運転を行われる場合であっても、手動モード、定刻モード、定時間モードのうちいずれか１つまたは複数のモードを選択することで、必ず起動順の変更が行われることになり、特定の吸収式冷凍機のみの運転時間が長くなるということが避けられ、各吸収式冷凍機間の運転時間差を小さくでき、ひいては全体の長寿命化が図れる。
【００２６】
請求項２の発明では、更に、前回に自動モード手動モード、または定刻モードによって起動順の変更が実行された時から一定時間が経過した事を条件として、新たな起動順の変更が行われるので、不必要に頻繁な起動順の変更が行われるのを防止できる。
【図面の簡単な説明】
【図１】この発明の第一実施例のフローチャート図である。
【図２】この発明の第二実施例のフローチャート図である。
【図３】この発明の第三実施例のフローチャート図である。
【図４】この発明の第一実施例の全体概略図である。
【符号の説明】
１  吸収式冷凍機
３  冷温水パイプ
５、７  冷温水管
９  制御装置
１１  入力手段
１３  実行手段
１５  タイマー
１７  コントロールパネル
１９  スイッチ
２１  手動キー
２３  モード選択キー
２５、２７  設定キー
２９  液晶表示板
【図１】
0003604738.tif 000002
【図２】
0003604738.tif 000003
【図３】
0003604738.tif 000004
【図４】
0003604738.tif 000005